(57)【要約】【課題】本発明は、血液、体液などによる汚染を防ぎ、且つ通気性を確保することができる防護衣を提供することを最も主要な特徴とする。【解決手段】医療検査および処置の際に従事者Ｈが着用する防護衣１に、従事者Ｈの正面部分以外の汚染されにくい箇所、例えば背面側に通気性を向上させるテーパー状に開口する開口部１５の通気口１４を有するものである。【選択図】      図１
2005350820.tif 000002
【特許請求の範囲】
【請求項１】
検査および処置の際に従事者が着用する防護衣であって、
前記防護衣は、従事者の正面部分以外の汚染されにくい箇所に通気性を向上させる通気部を有することを特徴とする防護衣。
【請求項２】
前記通気部は、従事者の背面部分に開口させた通気口を有することを特徴とする請求項１に記載の防護衣。
【請求項３】
前記通気口は、防護衣の長手方向で、長手方向の一端側から、首通し部に向けてテーパー状に形成された開口部を有することを特徴とする請求項２に記載の防護衣。
【請求項４】
前記防護衣は、従事者の背面位置に衣服の両端を合わせる合わせ端部を有し、
前記通気口は、背面位置の生地により形成される稜線により形成されていることを特徴とする請求項２に記載の防護衣。
【請求項５】
前記通気部は、袖部を形成する袖部材の背面側、前記袖部と胴体部を形成する胴体部材との取付け部の少なくともいずれか一方に形成されていることを特徴とする請求項４に記載の防護衣。
【請求項６】
前記通気部は、複数のパンチ穴によって形成されていることを特徴とする請求項４に記載の防護衣。
【請求項７】
前記通気部は、切り取り用のミシン目が形成され、必要に応じて前記ミシン目から切り離して開口部を形成可能な開口部形成可能部を有することを特徴とする請求項４に記載の防護衣。
【発明の詳細な説明】
【技術分野】
【０００１】
本発明は、例えば内視鏡検査などの医療検査や処置等を行う際に、医師や看護師等の従事者が検査室等で衣服の上に着用する防護衣に関する。
【背景技術】
【０００２】
一般に、内視鏡検査や、処置等を行う際に、医師や看護師等の従事者は、検査室等の室内で衣服の上に検査着を着用することが普通である。この検査着として、特許文献１には、手術の際に従事者が着用する使い捨ての手術着で、手術用具収納用ポケットが設けられた手術着が示されている。この手術着の素材は、不織布である。この不織布は、吸水性に優れた素材であり、内視鏡検査や、処置等を行う際に、例えば血液や、体液などの汚れが手術着に付着した場合にその汚れが手術着に拡散される。これにより、血液や、体液などの汚れが手術着に付着した状態で吸収されることにより、周囲に飛散することが防止されている。
【０００３】
また、検査着は、血液、体液などの浸透を防止するために撥水加工の施された不繊布を用いられることが多い。この検査着は、例えば不繊布に撥水性のフィルムを貼り付けて撥水加工が施されたものである。
【特許文献１】特開２００１−６４８０８号公報
【発明の開示】
【発明が解決しようとする課題】
【０００４】
従来の検査着で使用されている撥水加工の施された不繊布は、不繊布に撥水性のフィルムを貼り付けて撥水加工が施されているので、通気性が低下する。そのため、撥水加工の施された不織布を用いた検査着を着用して作業した場合に、検査着内に熱がこもってしまい、検査着内の温度が上昇してしまう。
【０００５】
さらに、内視鏡検査や、処置等を行う検査室は、被検査者が被検査者用の検査着を着用したり、薄着になることが多く、寒さを感じないように適温に温度設定されている。この検査室内の設定温度は比較的高めに設定されている場合が普通なので、通気性が低い不織布を用いた検査着では作業中に熱がこもり易い。そのため、検査着を着用して作業している従事者には、暑く感じられる場合がある。
【０００６】
本発明は上記事情に着目してなされたもので、その目的は、血液、体液などによる汚染を防ぎ、且つ通気性を確保することができる防護衣を提供することにある。
【課題を解決するための手段】
【０００７】
請求項１の発明は、医療検査および処置の際に従事者が着用する防護衣であって、前記防護衣は、従事者の正面部分以外の汚染されにくい箇所に通気性を向上させる通気部を有することを特徴とする防護衣である。  
そして、本請求項１の発明の防護衣では、従事者の正面部分以外の汚染されにくい箇所の通気部で通気させることにより、医療検査および処置の際に従事者が衣服の上に防護衣を着用した状態でも血液、体液などによる汚染を防ぎ、且つ通気性を良好な状態で確保するようにしたものである。
【０００８】
請求項２の発明は、前記通気部は、従事者の背面部分に開口させた通気口を有することを特徴とする請求項１に記載の防護衣である。  
そして、本請求項２の発明では、従事者の背面部分に開口させた通気口の通気部で通気させることにより、従事者の背面部分の布の面積を少なくする。これにより、防護衣の通気性を良好な状態で確保するようにしたものである。
【０００９】
請求項３の発明は、前記通気口は、防護衣の長手方向で、長手方向の一端側から、首通し部に向けてテーパー状に形成された開口部を有することを特徴とする請求項２に記載の防護衣である。  
そして、本請求項３の発明では、防護衣の長手方向で、長手方向の一端側から、首通し部に向けてテーパー状に形成された開口部の通気口で通気させることにより、従事者の背面部分の布の面積を少なくする。これにより、防護衣の通気性を良好な状態で確保するようにしたものである。
【００１０】
請求項４の発明は、前記防護衣は、従事者の背面位置に衣服の両端を合わせる合わせ端部を有し、前記通気口は、背面位置の生地により形成される稜線により形成されていることを特徴とする請求項２に記載の防護衣である。  
そして、本請求項４の発明の防護衣では、従事者の背面位置で衣服の両端を合わせる合わせ端部に背面位置の生地の稜線により形成されている通気口で通気させることにより、防護衣の通気性を良好な状態で確保するようにしたものである。
【００１１】
請求項５の発明は、前記通気部は、袖部を形成する袖部材の背面側、前記袖部と胴体部を形成する胴体部材との取付け部の少なくともいずれか一方に形成されていることを特徴とする請求項４に記載の防護衣である。  
そして、本請求項５の発明では、袖部を形成する袖部材の背面側、または袖部と胴体部を形成する胴体部材との取付け部の少なくともいずれか一方に形成されている通気部で通気させることにより、防護衣の通気性を良好な状態で確保するようにしたものである。
【００１２】
請求項６の発明は、前記通気部は、複数のパンチ穴によって形成されていることを特徴とする請求項４に記載の防護衣である。  
そして、本請求項６の発明では、複数のパンチ穴によって形成されている通気部で通気させることにより、防護衣の通気性を良好な状態で確保するようにしたものである。
【００１３】
請求項７の発明は、前記通気部は、切り取り用のミシン目が形成され、必要に応じて前記ミシン目から切り離して開口部を形成可能な開口部形成可能部を有することを特徴とする請求項４に記載の防護衣である。  
そして、本請求項７の発明では、防護衣の開口部形成可能部を切り取り用のミシン目から切り離して開口部を形成し、この開口部の通気部で通気させることにより、防護衣の通気性を良好な状態で確保するようにしたものである。
【発明の効果】
【００１４】
本発明によれば、血液、体液などによる汚染を防ぎ、且つ通気性を確保することができる防護衣を提供することができる。
【発明を実施するための最良の形態】
【００１５】
以下、本発明の第１の実施の形態を図１（Ａ），（Ｂ）乃至図３を参照して説明する。図１（Ａ），（Ｂ）は本実施の形態の防護衣１の着用状態を示すものである。防護衣１は、例えば内視鏡検査などの医療検査や処置等を行う際に、医師や看護師等の従事者Ｈが検査室等で衣服２の上に着用する検査着である。この防護衣１の主な素材は、吸水性に優れた不織布である。さらに、防護衣１の不織布の内面側には、撥水性のフィルムを貼り付けて撥水加工が施されている。
【００１６】
そして、防護衣１の外面側は吸水性に優れた不織布により構成されていることにより、内視鏡検査や、処置等を行う際に、例えば血液や、体液などの汚れが防護衣１に付着した場合にその汚れが防護衣１に拡散される。これにより、血液や、体液などの汚れが防護衣１に付着した状態で吸収されることにより、周囲に飛散することが防止されている。さらに、防護衣１の不織布の内面側は撥水加工が施されていることにより、血液、体液などの浸透が防止される。なお、防護衣１の色は、例えば血液や、体液などの汚れが明確に識別できる色、例えば白や、ライトグレイ、薄緑、ピンク、薄青などの淡彩色の素材が用いられている。
【００１７】
図２は、本実施の形態の防護衣１を示す。この防護衣１は、従事者Ｈの上半身から下半身の途中位置までを覆う状態で延設された胴体カバー部（胴体部）３と、この胴体カバー部３の上端部に形成された首通し部４と、従事者Ｈの両腕を覆う左右一対の袖部５，６とを有する。胴体カバー部３は、図１（Ａ）、図２に示すように従事者Ｈの正面部分全体を覆う正面カバー７と、この正面カバー７の左右に配置され、図１（Ｂ）、図３に示すように従事者Ｈの背面側に回り込む状態で延出される左右一対の背面カバー８，９とを有する。
【００１８】
さらに、正面カバー７には細長いウエスト紐１０の中央部分を固定するウエスト紐固定部１１が設けられている。このウエスト紐固定部１１は、正面カバー７の上下方向および左右方向のほぼ中央部位に配置されている。そして、防護衣１の着用時にはウエスト紐１０を従事者Ｈの身体に巻きつけた状態でウエスト紐１０の両端部間を結ぶことにより、防護衣１を従事者Ｈの身体に固定するようになっている。また、左右の袖部５，６の先端部には袖口を絞った袖口部５ａ，６ａがそれぞれ形成されている。
【００１９】
防護衣１の背面側には衣服の両端を合わせる合わせ端部１２を有する。この合わせ端部１２は、図３に示すように左右の背面カバー８，９の上部の首通し部４の近傍部分に配置されている。そして、この合わせ端部１２の部分に例えば、マジックテープ（登録商標）や、面ファスナー、ホックなどの係合部材で係脱可能に係合されて連結される連結部１３が設けられている。
【００２０】
さらに、背面カバー８，９は、合わせ端部１２よりも下側部分に通気口（通気部）１４を有する。この通気口１４は、従事者Ｈの背面部分を比較的広い面積で開口させた開口部１５によって形成されている。本実施の形態では、通気口１４は、防護衣１の長手方向で、長手方向の一端側から、首通し部４に向けてテーパー状に形成された開口部１５によって形成されている。そして、この開口部１５のテーパー部１５ａは、従事者Ｈの背面位置の背面カバー８，９の生地により形成される稜線により形成されている。
【００２１】
次に、上記構成の作用について説明する。本実施の形態の防護衣１は、医師や看護師等の従事者Ｈが検査室等で衣服２の上に着用する。この防護衣１の着用時には、従事者Ｈの両腕を左右の袖部５，６に挿通した状態で、防護衣１の背面側で首通し部４の近傍部分の左右の背面カバー８，９の合わせ端部１２を合わせる。この状態で、合わせ端部１２の部分の連結部１３を連結する。その後、ウエスト紐１０を防護衣１の上から従事者Ｈの身体に巻きつけた状態でウエスト紐１０の両端部間を結ぶことにより、防護衣１を従事者Ｈの身体に固定する。
【００２２】
このように医師や看護師等の従事者Ｈが衣服２の上に防護衣１を着用した状態で、例えば内視鏡検査などの医療検査や処置等が行われる。この内視鏡検査などの医療検査や処置等の作業時に、検査室等の室内に飛散する汚れ、例えば血液や、体液などの汚れは主に防護衣１の正面カバー７に付着する。このように、例えば血液や、体液などの汚れが防護衣１の正面カバー７に付着した場合には、その汚れが防護衣１に拡散される。これにより、血液や、体液などの汚れが防護衣１に付着した状態で吸収されることにより、周囲に飛散することが防止される。
【００２３】
また、防護衣１に付着した血液、体液などの汚れは、防護衣１の不織布の内面側の撥水加工部によって防護衣１の不織布の内面側に浸透されることが防止される。これにより、防護衣１の内側の衣服２に血液、体液などの汚れが付着することが防止される。
【００２４】
さらに、内視鏡検査などの医療検査や処置等の作業時には、防護衣１の背面側のテーパー状に開口する開口部１５の通気口１４から効果的に通気される。そのため、防護衣１内で発生する熱が、防護衣１内にこもることが少ないので、衣服２の上に防護衣１を着用している従事者Ｈが暑く感じることを防止することができる。
【００２５】
そこで、上記構成のものにあっては次の効果を奏する。すなわち、本実施の形態の防護衣１では、防護衣１の背面側にテーパー状に開口する開口部１５の通気口１４を設けている。そのため、この防護衣１の着用時には、図１（Ｂ）に示すように従事者Ｈの背面部分の開口部１５によって従事者Ｈの背面部分が比較的広い面積で開口された状態で保持される。その結果、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１では、吸水性に優れた不織布の正面カバー７によって血液、体液などによる汚染を防ぎ、且つ防護衣１の背面側でテーパー状に開口する開口部１５の通気口１４によって通気性を確保することができ、作業効率が上がる。
【００２６】
また、図４は本発明の第２の実施の形態を示すものである。本実施の形態は第１の実施の形態（図１（Ａ），（Ｂ）乃至図３参照）の防護衣１の構成を次の通り変更したものである。
【００２７】
すなわち、本実施の形態の防護衣１では背面カバー８，９間の通気口（通気部）１４の形状をほぼ矩形状の開口部２１に変更したものである。なお、これ以外の部分は第１の実施の形態の防護衣１と同一構成になっており、第１の実施の形態の防護衣１と同一部分には同一の符号を付してここではその説明を省略する。
【００２８】
そこで、上記構成のものにあっては次の効果を奏する。すなわち、本実施の形態の防護衣１では、背面側にほぼ矩形状に開口する広い面積の開口部２１の通気口１４を設けている。そのため、この防護衣１の着用時には、従事者Ｈの背面部分にほぼ矩形状に開口する開口部２１によって従事者Ｈの背面部分が比較的広い面積で開口された状態で保持される。その結果、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の背面側でほぼ矩形状に開口する開口部２１の通気口１４によって通気性を確保することができ、作業効率が上がる。
【００２９】
また、図５（Ａ）は本発明の第３の実施の形態を示すものである。本実施の形態は第１の実施の形態（図１（Ａ），（Ｂ）乃至図３参照）の防護衣１の構成を次の通り変更したものである。
【００３０】
すなわち、本実施の形態では、防護衣１の汚染されにくい箇所として、従事者Ｈの正面側から飛散する汚物によって汚染され難い左右の袖部５，６と胴体カバー部３との取付け部（従事者Ｈの脇の下）に開口部３１を設け、これらの開口部３１によって通気口３２を形成したものである。
【００３１】
そこで、上記構成のものにあっては次の効果を奏する。すなわち、本実施の形態の防護衣１の着用時には、従事者Ｈの正面側から飛散する汚物によって汚染され難い左右の袖部５，６と胴体カバー部３との取付け部（従事者Ｈの脇の下）の開口部３１の通気口３２で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６と胴体カバー部３との取付け部（従事者Ｈの脇の下）の開口部３１の通気口３２によって通気性を確保することができ、作業効率が上がる。
【００３２】
なお、第１，第２の各実施の形態のように防護衣１の背面側に開口する開口部１５，２１の通気口１４を有する防護衣１にさらに本実施の形態の左右の袖部５，６と胴体カバー部３との取付け部（従事者Ｈの脇の下）の開口部３１の通気口３２を設けても良い。この場合には防護衣１の通気性を一層、良好な状態で確保することができる。
【００３３】
また、図５（Ｂ）は本発明の第４の実施の形態を示すものである。本実施の形態は第３の実施の形態（図５（Ａ）参照）の左右の袖部５，６と胴体カバー部３との取付け部（従事者Ｈの脇の下）の開口部３１の通気口３２に代えて、左右の袖部５，６の背面側（従事者Ｈの腕の後ろ）に開口する開口部３３の通気口３４を設けたものである。なお、これ以外の部分は第１の実施の形態の防護衣１と同一構成になっており、第１の実施の形態の防護衣１と同一部分には同一の符号を付してここではその説明を省略する。
【００３４】
そこで、上記構成のものにあっては次の効果を奏する。すなわち、本実施の形態の防護衣１の着用時には、従事者Ｈの正面側から飛散する汚物によって汚染され難い左右の袖部５，６の背面側に開口する開口部３３の通気口３４で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６の背面側に開口する開口部３３の通気口３４によって通気性を確保することができ、作業効率が上がる。
【００３５】
なお、第３の実施の形態の防護衣１のように左右の袖部５，６と胴体カバー部３との取付け部（従事者Ｈの脇の下）の開口部３１の通気口３２と、本実施の形態の防護衣１のように左右の袖部５，６の背面側に開口する開口部３３の通気口３４とを同一の防護衣１に設けても良い。この場合には防護衣１の通気性を一層、良好な状態で確保することができる。
【００３６】
また、図６（Ａ）は本発明の第５の実施の形態を示すものである。本実施の形態は第１の実施の形態（図１（Ａ），（Ｂ）乃至図３参照）の防護衣１に第３の実施の形態（図５（Ａ）参照）のように左右の袖部５，６と胴体カバー部３との取付け部（従事者Ｈの脇の下）に開口部３１を形成可能な開口部形成可能部４１を設けたものである。この開口部形成可能部４１は、左右の袖部５，６と胴体カバー部３との取付け部の開口部３１に沿って切り取り用のミシン目４２を形成したものである。
【００３７】
そこで、上記構成のものにあっては次の効果を奏する。すなわち、本実施の形態の防護衣１では、左右の袖部５，６と胴体カバー部３との取付け部のミシン目４２を必要に応じて切り離すことができる。このミシン目４２を切り離す前の状態では、例えば血液や、体液などの汚れが防護衣１の左右の袖部５，６と胴体カバー部３との取付け部から防護衣１の下の衣服２側に侵入することを確実に防止することができる。
【００３８】
また、左右の袖部５，６と胴体カバー部３との取付け部のミシン目４２を切り離すことにより、第３の実施の形態（図５（Ａ）参照）のように左右の袖部５，６と胴体カバー部３との取付け部（従事者Ｈの脇の下）に開口部３１を形成することができる。この場合は第３の実施の形態と同様に従事者Ｈの正面側から飛散する汚物によって汚染され難い左右の袖部５，６と胴体カバー部３との取付け部（従事者Ｈの脇の下）の開口部３１の通気口３２で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６と胴体カバー部３との取付け部（従事者Ｈの脇の下）の開口部３１の通気口３２によって通気性を確保することができ、作業効率が上がる。
【００３９】
また、図６（Ｂ）は本発明の第６の実施の形態を示すものである。本実施の形態は第１の実施の形態（図１（Ａ），（Ｂ）乃至図３参照）の防護衣１に第４の実施の形態（図５（Ｂ）参照）のように左右の袖部５，６の背面側（従事者Ｈの腕の後ろ）に開口する開口部３３を形成可能な開口部形成可能部４３を設けたものである。この開口部形成可能部４３は開口部３３の周囲に沿って切り取り用のミシン目４４を形成したものである。
【００４０】
そこで、上記構成のものにあっては次の効果を奏する。すなわち、本実施の形態の防護衣１では、左右の袖部５，６の背面側のミシン目４４を必要に応じて切り離すことができる。このミシン目４４を切り離す前の状態では、例えば血液や、体液などの汚れが防護衣１の左右の袖部５，６から防護衣１の下の衣服２側に侵入することを確実に防止することができる。
【００４１】
また、左右の袖部５，６の背面側のミシン目４４を切り離すことにより、第４の実施の形態（図５（Ｂ）参照）のように左右の袖部５，６の背面側（従事者Ｈの腕の後ろ）に開口部３３を形成することができる。この場合は第４の実施の形態と同様に従事者Ｈの正面側から飛散する汚物によって汚染され難い左右の袖部５，６の背面側に開口する開口部３３の通気口３４で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６の背面側に開口する開口部３３の通気口３４によって通気性を確保することができ、作業効率が上がる。
【００４２】
また、図７（Ａ）は本発明の第７の実施の形態を示すものである。本実施の形態は第３の実施の形態（図５（Ａ）参照）の防護衣１の構成を次の通り変更したものである。すなわち、本実施の形態では、防護衣１の左右の袖部５，６と胴体カバー部３との取付け部（従事者Ｈの脇の下）の通気口３２を複数のパンチ穴５１によって形成したものである。
【００４３】
そこで、上記構成のものにあっては次の効果を奏する。すなわち、本実施の形態の防護衣１の着用時には、従事者Ｈの正面側から飛散する汚物によって汚染され難い左右の袖部５，６と胴体カバー部３との取付け部（従事者Ｈの脇の下）の複数のパンチ穴５１の通気口３２で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６と胴体カバー部３との取付け部（従事者Ｈの脇の下）の複数のパンチ穴５１の通気口３２によって通気性を確保することができ、作業効率が上がる。
【００４４】
なお、第１，第２の各実施の形態のように防護衣１の背面側に開口する開口部１５，２１の通気口１４を有する防護衣１にさらに本実施の形態の左右の袖部５，６と胴体カバー部３との取付け部（従事者Ｈの脇の下）の複数のパンチ穴５１の通気口３２を設けても良い。この場合には防護衣１の通気性を一層、良好な状態で確保することができる。
【００４５】
また、図７（Ｂ）は本発明の第８の実施の形態を示すものである。本実施の形態は第４の実施の形態（図５（Ｂ）参照）の防護衣１の構成を次の通り変更したものである。すなわち、本実施の形態では、左右の袖部５，６の背面側（従事者Ｈの腕の後ろ）の通気口３４を複数のパンチ穴５２によって形成したものである。
【００４６】
そこで、上記構成のものにあっては次の効果を奏する。すなわち、本実施の形態の防護衣１の着用時には、従事者Ｈの正面側から飛散する汚物によって汚染され難い左右の袖部５，６の背面側に開口する複数のパンチ穴５２の通気口３４で通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。したがって、本実施の形態の防護衣１でも第１の実施の形態と同様に、吸水性に優れた不織布の正面カバー７によって血液、体液などによる汚染を防ぎ、且つ防護衣１の左右の袖部５，６の背面側に開口する開口部３３の通気口３４によって通気性を確保することができ、作業効率が上がる。
【００４７】
なお、第７の実施の形態の防護衣１のように左右の袖部５，６と胴体カバー部３との取付け部（従事者Ｈの脇の下）の複数のパンチ穴５１の通気口３２と、本実施の形態の防護衣１のように左右の袖部５，６の背面側に開口する複数のパンチ穴５２の通気口３４とを同一の防護衣１に設けても良い。この場合には防護衣１の通気性を一層、良好な状態で確保することができる。
【００４８】
さらに、第３の実施の形態（図５（Ａ）参照）の左右の袖部５，６と胴体カバー部３との取付け部（従事者Ｈの脇の下）の開口部３１と、第５の実施の形態（図６（Ａ）参照）の切り取り用のミシン目４２を有する開口部形成可能部４１と、第７の実施の形態（図７（Ａ）参照）の複数のパンチ穴５１と、第４の実施の形態（図５（Ｂ）参照）の左右の袖部５，６の背面側に開口する開口部３３と、第６の実施の形態（図６（Ｂ）参照）の切り取り用のミシン目４４を有する開口部形成可能部４３と、第８の実施の形態（図７（Ｂ）参照）の複数のパンチ穴５２とを任意に組み合わせて同一の防護衣１に設けても良い。この場合にも防護衣１の通気性を一層、良好な状態で確保することができる。
【００４９】
また、図８は本発明の第９の実施の形態を示すものである。本実施の形態は第１の実施の形態（図１（Ａ），（Ｂ）乃至図３参照）の防護衣１の構成を次の通り変更したものである。すなわち、本実施の形態では、例えば、防護衣１の左右の袖部５，６に通気用のスリット６１を設けるとともに、このスリット６１を覆うカバー部材６２を設けたものである。このカバー部材６２は、スリット６１の上下の両端部と対応する上下の両端部分に防護衣１の左右の袖部５，６に縫い付けられた縫い付け部６３，６４が形成されている。そして、このカバー部材６２の上下の縫い付け部６３，６４間の両側部分は防護衣１の左右の袖部５，６に縫い付けられていない通気用の開口部６５，６６が形成されている。
【００５０】
そこで、上記構成のものにあっては次の効果を奏する。すなわち、本実施の形態の防護衣１の着用時には、防護衣１の左右の袖部５，６のスリット６１と、カバー部材６２の両側部分の通気用の開口部６５，６６とを通して通気させることにより、防護衣１の通気性を良好な状態で確保することができる。そのため、撥水加工の施された不織布を用いた防護衣１を従事者Ｈが衣服２の上に着用した場合でも従来のように防護衣１内に熱がこもってしまい、防護衣１内の温度が上昇してしまうことが防止できる。
【００５１】
さらに、本実施の形態では防護衣１の左右の袖部５，６のスリット６１がカバー部材６２によって塞がれているので、例えば血液や、体液などの汚れが防護衣１の左右の袖部５，６のスリット６１を通して防護衣１の下の衣服２側に直接侵入することを確実に防止することができる。
【００５２】
したがって、本実施の形態の防護衣１でも第１の実施の形態と同様に、吸水性に優れた不織布の正面カバー７によって血液、体液などによる汚染を防ぎ、且つ防護衣１の左右の袖部５，６のスリット６１と、カバー部材６２の両側部分の通気用の開口部６５，６６とによって通気性を確保することができ、作業効率が上がる。
【００５３】
なお、本実施の形態の防護衣１のスリット６１と、カバー部材６２の配置場所は、左右の袖部５，６のみに限定されるものではなく、任意の場所に配置することができる。
【００５４】
さらに、本発明は上記各実施の形態に限定されるものではなく、本発明の要旨を逸脱しない範囲で種々変形実施できることは勿論である。  
【産業上の利用可能性】
【００５５】
本発明は、例えば内視鏡検査などの医療検査や処置等を行う際に、医師や看護師等の従事者が検査室等で衣服の上に着用する防護衣を製造する技術分野や、防護衣を使用する技術分野で有効である。
【図面の簡単な説明】
【００５６】
【図１】本発明の第１の実施の形態の防護衣の着用状態を示すもので、（Ａ）は従事者の正面側から見た図、（Ｂ）は背面側から見た図。
【図２】第１の実施の形態の防護衣の正面側を平面的に見た図。
【図３】第１の実施の形態の防護衣の背面側を平面的に見た図。
【図４】本発明の第２の実施の形態の防護衣の背面側を平面的に見た図。
【図５】（Ａ）は本発明の第３の実施の形態の防護衣を正面側から見た図、（Ｂ）は本発明の第４の実施の形態の防護衣を背面側から見た図。
【図６】（Ａ）は本発明の第５の実施の形態の防護衣を正面側から見た図、（Ｂ）は本発明の第６の実施の形態の防護衣を背面側から見た図。
【図７】（Ａ）は本発明の第７の実施の形態の防護衣を正面側から見た図、（Ｂ）は本発明の第８の実施の形態の防護衣を背面側から見た図。
【図８】本発明の第９の実施の形態の防護衣の要部構成を示す斜視図。
【符号の説明】
【００５７】
１…防護衣、Ｈ…従事者、１４…通気口（通気部）、１５…開口部。
【図１】
2005350820.tif 000003
【図２】
2005350820.tif 000004
【図３】
2005350820.tif 000005
【図４】
2005350820.tif 000006
【図５】
2005350820.tif 000007
【図６】
2005350820.tif 000008
【図７】
2005350820.tif 000009
【図８】
2005350820.tif 000010